(57)【特許請求の範囲】
【請求項１】
車両のユーザーに所持されて、携帯機本体の外形を構成するハウジング（２）内に、前記車両を制御するための複数種類の制御信号のうち選択された制御信号を出力する制御部（１１）と、前記制御部が出力した前記制御信号の電波を送信する送信部（２０）とを有する車両用携帯機（１、２１）において、
前記複数種類の制御信号のうち前記制御部に出力させる前記制御信号の種類を選択する第一入力部（７、８、１３、１４、２２）と、
前記制御部に前記制御信号の出力を指示する第二入力部（９、１６）とを有し、
前記第一入力部（７、８、２２）は、機械的な断続接点を持たないスイッチにより構成され、前記制御信号の種類毎に操作範囲（７ａ〜７ｅ、８ａ〜８ｅ、２３ａ〜２３ｅ、２４ａ〜２４ｅ）が分割されており、
同一種類の前記制御信号を選択する前記操作範囲が少なくとも２箇所に配置され、各箇所において前記制御信号の種類毎に分割された各操作範囲が互いに繋がっており、
前記制御部は、前記第二入力部に対するユーザーのアクションがあるまでは選択された前記制御信号を出力せず、
前記第一入力部は、ユーザーからのアクションに対し動作しない待機状態と、ユーザーからのアクションにより動作する起動状態とを有し、
前記第一入力部は、それぞれ、前記制御信号の種類毎の前記操作範囲を含んだ複数の組に分かれており、同一の前記組に属する前記操作範囲は隣り合うように配置され、
前記第一入力部の前記待機状態と前記起動状態の切替制御を行う入力制御部（１２、１１２）と、
前記入力制御部に対し、前記第一入力部を前記待機状態から前記起動状態へと遷移させるよう指示する第三入力部（１０、１５）とを有し、
前記入力制御部は、前記第三入力部に対するアクションがあったことに基づいて全ての前記組を前記起動状態にし、その後、ユーザーからのアクションがあった前記操作範囲が属する前記組を前記起動状態に維持し、それ以外の前記組を前記待機状態に遷移させることを特徴とする車両用携帯機。
【請求項２】
車両のユーザーに所持されて、携帯機本体の外形を構成するハウジング（２）内に、前記車両を制御するための複数種類の制御信号のうち選択された制御信号を出力する制御部（１１）と、前記制御部が出力した前記制御信号の電波を送信する送信部（２０）とを有する車両用携帯機（１、２１）において、
前記複数種類の制御信号のうち前記制御部に出力させる前記制御信号の種類を選択する第一入力部（７、８、１３、１４、２２）と、
前記制御部に前記制御信号の出力を指示する第二入力部（９、１６）とを有し、
前記第一入力部（７、８、２２）は、機械的な断続接点を持たないスイッチにより構成され、前記制御信号の種類毎に操作範囲（７ａ〜７ｅ、８ａ〜８ｅ、２３ａ〜２３ｅ、２４ａ〜２４ｅ）が分割されており、
同一種類の前記制御信号を選択する前記操作範囲が少なくとも２箇所に配置され、各箇所において前記制御信号の種類毎に分割された各操作範囲が互いに繋がっており、
前記制御部は、前記第二入力部に対するユーザーのアクションがあるまでは選択された前記制御信号を出力せず、
前記第一入力部は、ユーザーからのアクションに対し動作しない待機状態と、ユーザーからのアクションにより動作する起動状態とを有し、
前記第一入力部は、それぞれ、前記制御信号の種類毎の前記操作範囲を含んだ複数の組に分かれており、同一の前記組に属する前記操作範囲は隣り合うように配置され、
前記第一入力部の前記待機状態と前記起動状態の切替制御を行う入力制御部（１２、１１２）と、
前記入力制御部に対し、前記第一入力部を前記待機状態から前記起動状態へと遷移させるよう指示する第三入力部（１０、１５）とを有し、
前記入力制御部は、前記第三入力部に対するアクションがあったことに基づいて全ての前記組を前記起動状態にし、その後、ユーザーからのアクションがあった前記操作範囲が属する前記組を前記起動状態に維持し、それ以外の前記組を前記待機状態に遷移させ、又は前記起動状態に維持し、
前記第一入力部は、前記組毎に表示状態と非表示状態とが切替可能に構成され、
ユーザーからのアクションがあった前記操作範囲が属する前記組を表示状態にし、それ以外の前記組を非表示状態にする入力部表示制御部（１２１、１１１）を有することを特徴とする車両用携帯機。
【請求項３】
前記第一入力部が前記第二入力部及び前記第三入力部を兼ねることを特徴とする請求項１又は２に記載の車両用携帯機。
【請求項４】
前記第一入力部が前記第二入力部を兼ねることを特徴とする請求項１又は２に記載の車両用携帯機。
【請求項５】
前記第一入力部が前記第三入力部を兼ねることを特徴とする請求項１又は２に記載の車両用携帯機。
【請求項６】
前記第二入力部が前記第三入力部を兼ねることを特徴とする請求項１又は２に記載の車両用携帯機。
【請求項７】
前記制御信号の内容を示したアイコン（６）を表示するアイコン表示部（５）であって、前記アイコンの表示と非表示とを切替可能に構成されるとともに、前記制御信号の種類ごとに前記アイコンの表示領域（５ａ〜５ｅ）が分割されたアイコン表示部と、
前記第一入力部により選択された前記制御信号である選択制御信号の前記アイコンを前記アイコン表示部に表示させ、前記選択制御信号以外の前記制御信号の前記アイコンは非表示にするアイコン表示制御部（１１、１２、１７）とを有することを特徴とする請求項１〜６のいずれか１項に記載の車両用携帯機。
【請求項８】
前記第一入力部は、前記アイコン表示部を間に挟んだ２箇所に配置され、
各箇所に配置された前記第一入力部は、それぞれ、前記制御信号の種類毎に前記操作範囲が分割されたことを特徴とする請求項７に記載の車両用携帯機。
【請求項９】
前記アイコン表示部は、前記制御信号の種類ごとに分割された複数の前記表示領域が一列に並ぶように配置され、
前記第一入力部は、前記アイコン表示部の隣りの位置において前記表示領域の配列方向と同じ方向に前記制御信号ごとの前記操作範囲が一列に並ぶように配置され、
前記第一入力部の各操作範囲は、各操作範囲の隣りに表示される前記アイコンの前記制御信号を選択する操作範囲に設定されたことを特徴とする請求項８に記載の車両用携帯機。
【請求項１０】
車両のユーザーに所持されて、携帯機本体の外形を構成するハウジング（２）内に、前記車両を制御するための複数種類の制御信号のうち選択された制御信号を出力する制御部（１１）と、前記制御部が出力した前記制御信号の電波を送信する送信部（２０）とを有する車両用携帯機（１、２１）において、
前記複数種類の制御信号のうち前記制御部に出力させる前記制御信号の種類を選択する第一入力部（７、８、１３、１４、２２）と、
前記制御部に前記制御信号の出力を指示する第二入力部（９、１６）とを有し、
前記第一入力部（７、８、２２）は、機械的な断続接点を持たないスイッチにより構成され、前記制御信号の種類毎に操作範囲（７ａ〜７ｅ、８ａ〜８ｅ、２３ａ〜２３ｅ、２４ａ〜２４ｅ）が分割されており、
同一種類の前記制御信号を選択する前記操作範囲が少なくとも２箇所に配置され、各箇所において前記制御信号の種類毎に分割された各操作範囲が互いに繋がっており、
前記制御部は、前記第二入力部に対するユーザーのアクションがあるまでは選択された前記制御信号を出力せず、
前記第二入力部は、機械的な断続接点を持つスイッチにより構成されたことを特徴とする車両用携帯機。
【請求項１１】
車両のユーザーに所持されて、携帯機本体の外形を構成するハウジング（２）内に、前記車両を制御するための複数種類の制御信号のうち選択された制御信号を出力する制御部（１１）と、前記制御部が出力した前記制御信号の電波を送信する送信部（２０）とを有する車両用携帯機（１、２１）において、
前記複数種類の制御信号のうち前記制御部に出力させる前記制御信号の種類を選択する第一入力部（７、８、１３、１４、２２）を有し、
前記第一入力部（７、８、２２）は前記制御信号の種類毎に操作範囲（７ａ〜７ｅ、８ａ〜８ｅ、２３ａ〜２３ｅ、２４ａ〜２４ｅ）が分割されており、
同一種類の前記制御信号を選択する前記操作範囲が少なくとも２箇所に配置され、
前記第一入力部は、ユーザーからのアクションに対し動作しない待機状態と、ユーザーからのアクションにより動作する起動状態とを有し、
前記第一入力部は、それぞれ、前記制御信号の種類毎の前記操作範囲を含んだ複数の組に分かれており、同一の前記組に属する前記操作範囲は隣り合うように配置され、
前記第一入力部の前記待機状態と前記起動状態の切替制御を行う入力制御部（１２、１１２）と、
前記入力制御部に対し、前記第一入力部を前記待機状態から前記起動状態へと遷移させるよう指示する第三入力部（１０、１５）とを有し、
前記入力制御部は、前記第三入力部に対するアクションがあったことに基づいて全ての前記組を前記起動状態にし、その後、ユーザーからのアクションがあった前記操作範囲が属する前記組を前記起動状態に維持し、それ以外の前記組を前記待機状態に遷移させることを特徴とする車両用携帯機。
【請求項１２】
車両のユーザーに所持されて、携帯機本体の外形を構成するハウジング（２）内に、前記車両を制御するための複数種類の制御信号のうち選択された制御信号を出力する制御部（１１）と、前記制御部が出力した前記制御信号の電波を送信する送信部（２０）とを有する車両用携帯機（１、２１）において、
前記複数種類の制御信号のうち前記制御部に出力させる前記制御信号の種類を選択する第一入力部（７、８、１３、１４、２２）を有し、
前記第一入力部（７、８、２２）は前記制御信号の種類毎に操作範囲（７ａ〜７ｅ、８ａ〜８ｅ、２３ａ〜２３ｅ、２４ａ〜２４ｅ）が分割されており、
同一種類の前記制御信号を選択する前記操作範囲が少なくとも２箇所に配置され、
前記第一入力部は、ユーザーからのアクションに対し動作しない待機状態と、ユーザーからのアクションにより動作する起動状態とを有し、
前記第一入力部は、それぞれ、前記制御信号の種類毎の前記操作範囲を含んだ複数の組に分かれており、同一の前記組に属する前記操作範囲は隣り合うように配置され、
前記第一入力部の前記待機状態と前記起動状態の切替制御を行う入力制御部（１２、１１２）と、
前記入力制御部に対し、前記第一入力部を前記待機状態から前記起動状態へと遷移させるよう指示する第三入力部（１０、１５）とを有し、
前記入力制御部は、前記第三入力部に対するアクションがあったことに基づいて全ての前記組を前記起動状態にし、その後、ユーザーからのアクションがあった前記操作範囲が属する前記組を前記起動状態に維持し、それ以外の前記組を前記待機状態に遷移させ又は前記起動状態に維持し、
前記第一入力部は、前記組毎に表示状態と非表示状態とが切替可能に構成され、
ユーザーからのアクションがあった前記操作範囲が属する前記組を表示状態にし、それ以外の前記組を非表示状態にする入力部表示制御部（１２１、１１１）を有することを特徴とする車両用携帯機。
【発明の詳細な説明】
【技術分野】
【０００１】
本発明は、例えば、車両のドアの施開錠の遠隔操作や、車両のエンジンの始動等の操作に用いる車両用携帯機に関する。
【背景技術】
【０００２】
従来、例えば特許文献１に示されるように、上部カバーと下部カバーとによって構成される内部空間に、上部より、ノブ部材と、防水カバーと、上面にスイッチ、下面にアンテナ素子を備えた基板と、が順次配置されてなる携帯機が提案されている。該携帯機は、ユーザーがノブ部材を押圧して、ノブ部材とともに防水カバーを撓ませることで、基板に設けられたスイッチに押圧力が作用されるようになっている。
【先行技術文献】
【特許文献】
【０００３】
【特許文献１】特許第４３０１３０３号公報
【発明の概要】
【発明が解決しようとする課題】
【０００４】
ところで、従来の車両用携帯機では、ユーザーによって操作が行われる入力部の配置位置や、ユーザーの手の大きさや利き腕（右手、左手のどちらで入力部を操作するか）によっては、ユーザーは入力部を操作しづらい場合がある。
【０００５】
本発明は、上記のような課題を解決するためになされたもので、ユーザーの手の大きさや利き腕に左右されず、操作のし易い車両用携帯機を提供することを目的とする。
【課題を解決するための手段】
【０００６】
上記課題を解決するために、本発明の車両用携帯機は、車両のユーザーに所持されて、携帯機本体の外形を構成するハウジング内に、前記車両を制御するための複数種類の制御信号のうち選択された制御信号を出力する制御部と、前記制御部が出力した前記制御信号の電波を送信する送信部とを有する車両用携帯機において、
前記複数種類の制御信号のうち前記制御部に出力させる前記制御信号の種類を選択する第一入力部を有し、
前記第一入力部は前記制御信号の種類毎に操作範囲が分割されており、
同一種類の前記制御信号を選択する前記操作範囲が少なくとも２箇所に配置されたことを特徴とする。
【０００７】
本発明によれば、制御部が出力する制御信号の種類を選択する第一入力部は、制御信号の種類毎に操作範囲が分割されており、同一種類の制御信号を選択する操作範囲が少なくとも２箇所に配置されているので、ユーザーは、少なくとも２箇所に配置された操作範囲のうち好きな方を選んで、制御信号の選択操作を行うことができる。よって、ユーザーの手の大きさや利き腕に左右されず、第一入力部（車両用携帯機）を操作しやすくできる。
【図面の簡単な説明】
【０００８】
【図１】携帯機の正面図である。
【図２】携帯機の背面図である。
【図３】携帯機の正面にアイコン６が表示された状態を示した図である。
【図４】携帯機の正面にアイコン６及び両操作部７、８が表示された状態を示した図である。
【図５】携帯機の電気的構成を示したブロック図である。
【図６】携帯機の背面に配置された第三入力部の操作部１０が操作された状態を示した図である。
【図７】右側の操作部８が操作された状態を示した図である。
【図８】右側の操作部８でアイコン６ｂを選択した後、第二入力部の操作部が操作された状態を示した図である。
【図９】左側の操作部７が操作された状態を示した図である。
【図１０】左側の操作部７でアイコン６ｂを選択した後、第二入力部の操作部が操作された状態を示した図である。
【図１１】図５のブロック図に対して、入力制御部１２内に入力部表示制御部１２１を追加した図である。
【図１２】第二入力部及びＬＥＤ１７〜１９が制御部１１に接続された構成ブロック図である。
【図１３】図１２のブロック図に対して、制御部１１内に入力部表示制御部１１１を追加した図である。
【図１４】第一〜第三入力部、ＬＥＤ１７〜１９が制御部１１に接続された構成ブロック図である。
【図１５】複数箇所間で操作範囲が連続した第一入力部の構成例を説明する図であり、変形例６に係る携帯機２１の正面図である。
【発明を実施するための形態】
【０００９】
以下、本発明の実施形態を図面を参照しながら説明する。図１は、本実施形態の車両用携帯機１（以下単に携帯機という）の正面図を示している。携帯機１は、車両のユーザーに所持されて、車両ドアの施開錠等、車両の遠隔操作をするために用いられる。先ず、携帯機１の構成を説明する。
【００１０】
携帯機１は、携帯機１の外形を構成する例えば樹脂製のハウジング２を有する。そのハウジング２は、薄型の直方体の各角部を丸めた外形を有し、複数のカバーの嵌合により構成されている。本実施形態では、ハウジング２は、図１の正面側に位置する上カバーと、図２の背面側に位置する下カバーの２つのカバーを有する。そして、それら２つのカバーが外周部で嵌合されることで、内部に各種部品を収容する収容空間を有したハウジング２が構成されている。
【００１１】
ハウジング２は、図１の正面方向から見て略長方形に形成される。ハウジング２の正面には、ハウジング２の正面外形より若干小さい略長方形（長方形の４隅を丸めた形状）の開口３が形成されている。その開口３に、携帯機１の操作及び表示の機能を有するアクリルカバー４が配置されている。アクリルカバー４は、アクリルやポリカーボネート等の透明な樹脂やガラス等を基材として構成されている。また、アクリルカバー４は、開口３の形状に合うように略長方形かつ板状に形成されている。アクリルカバー４の表面が開口３を介して視認可能となっている。
【００１２】
以下では、図１の左右方向を携帯機１の左右幅方向と定義し、図１の上下方向を携帯機の上下幅方向と定義する。アクリルカバー４の短手方向（図１の左右方向。携帯機１の左右幅方向）の中央位置には、後述する制御部１１（図５参照）が出力する各制御信号の内容、つまり車両の制御内容を示した各種のアイコンを点灯表示するアイコン表示部５を有する。なお、図１では、アイコンが非表示の状態を示している。アイコン表示部５は、アクリルカバー４の中央位置において、アクリルカバー４の長手方向（図1の上下方向。携帯機１の上下幅方向）に伸びた細長状に設定されている。
【００１３】
アイコン表示部５は、制御信号の種類ごとにアイコンの表示領域が分割されている。詳しくは、本実施形態では図３に示すようにアイコン表示部５には５種類のアイコン６が表示されるが、アイコン表示部５は５つの表示領域５ａ〜５ｅ（図１参照）に分割されている。なお、図１では分かりやすくするために、表示領域５ａ〜５ｅの境界を点線で図示しているが、実際は境界は表示されない。
【００１４】
５つに分割された表示領域５ａ〜５ｅのうち一番上の表示領域５ａは、車両ドアのロックを示すアイコン６ａ（図３参照）の表示領域である。上から２番目の表示領域５ｂは、車両ドアのアンロックを示すアイコン６ｂ（図３参照）の表示領域である。上か３番目の表示領域５ｃは、車両の左側パワースライドドアの開錠を示すアイコン６ｃ（図３参照）の表示領域である。上から４番目の表示領域５ｄは、車両の右側パワースライドドアの開錠を示すアイコン６ｄ（図３参照）の表示領域である。上から５番目（一番下）の表示領域５ｅは、車両のトランクの開錠を示すアイコン６ｅ（図３参照）の表示領域である。これら表示領域５ａ〜５ｅ（アイコン６ａ〜６ｅ）が携帯機１の上下幅方向に一列に並ぶように配置される。
【００１５】
なお、アイコン表示部５に表示するアイコンの個数、及び内容は図３に示す個数、内容に限定されるものではなく、例えば、車両のエンジン始動を示したアイコンや、車両のウィンドウの開閉を示したアイコンを表示しても良い。この場合には、車両のエンジン始動を指示する制御信号やウィンドウの開閉を指示する制御信号の電波が携帯機１から送信される。また、アイコン表示部５に、車両の制御に関係するアイコンだけでなく、携帯機１の電池の残量表示や、メカキーの保持状態等の携帯機の状態を示すアイコンを表示しても良い。
【００１６】
アイコン表示部５は、各アイコン６の表示と非表示とを切替可能に構成されている。アイコン６の表示と非表示とを切替可能とするために、アイコン表示部５は、各アイコン６ａ〜６ｅの形態に形成され、光を透過可能な光透過部を有する。その光透過部がアイコン６ａ〜６ｅを構成する。光透過部（アイコン６ａ〜６ｅ）の周囲は光を遮断する遮光部とされている。この遮光部は、アクリルカバー４の表面又は裏面において塗装、印刷、２色成形等で形成される。この際、アイコン６ａ〜６ｅの部分は塗装、印刷、２色成形等の遮光加工を施さないようにすることで、アイコン６ａ〜６ｅの形態の光透過部が形成される。なお、後述するＬＥＤ１７（図５参照）の点灯が無い時にはアイコン６ａ〜６ｅが視認されにくくするために、アイコン６ａ〜６ｅの部分は例えばスモーク調（半透明）に形成される。そのスモーク調の形成に関し、スモーク調の材質のアクリルカバー４を使用することで、スモーク調のアイコン６ａ〜６ｅを形成しても良いし、透明な材質の上にスモーク調インクを塗装又は印刷することでスモーク調のアイコン６ａ〜６ｅを形成しても良い。なお、本実施形態では、アイコン６ａ〜６ｅ自体が点灯する構成になっているが、アクリルカバーの表面に塗装、印刷、２色成形等で光を透過しないアイコンを形成し、その横にＬＥＤ等で点灯させる点灯領域を設けても良い。
【００１７】
携帯機１の正面の一部、すなわちアクリルカバー４の表面の一部は、アイコン表示部５に表示される５つのアイコン６ａ〜６ｅのうち一つを選択、つまり制御部１１（図５参照）に出力させる制御信号の種類を選択する第一入力部の操作部７、８に設定されている。この操作部７、８は、表示と非表示とが切替可能に構成されていて、図１では操作部７、８が非表示の状態、図４では操作部７、８が表示された状態を示している。
【００１８】
操作部７、８は、アイコン表示部５を間に挟んで、アクリルカバー４の表面の左右両側の２箇所に配置されている。一方の操作部７は、アクリルカバー４の表面の、アイコン表示部５よりも左側の位置（左右幅方向の左側位置）において、携帯機１（アクリルカバー４）の長手方向に伸びるように配置される（図４参照）。他方の操作部８は、アクリルカバー４の表面の、アイコン表示部５よりも右側の位置（左右幅方向の右側位置）において、携帯機１の長手方向に伸びるように配置される（図４参照）。
【００１９】
各操作部７、８は、機械的な断続接点を有しないスイッチの一部を構成し、具体的には静電容量スイッチの一部を構成する。なお、機械的な断続接点とは、操作部に加えられた力を受けて、スイッチの固定接点と接続し又は切断するように移動するスイッチの可動接点をいう。また、静電容量スイッチとは、センサ電極と、操作部に触れた物体（指）によって構成されるコンデンサの静電容量変化を検知する原理のスイッチをいう。静電容量スイッチで指の接近を検知するには、センサ電極に電圧（高周波電圧）を印加しておく必要がある。
【００２０】
各操作部７、８は、ユーザーによってタッチ操作が行われる部分であり、アイコン表示部５に表示されるアイコン６ごと、言い換えると制御信号の種類ごとに操作範囲が分割されている。詳しくは、図４に示すように、左側の操作部７は、５つのアイコン６ａ〜６ｅに対向するように５つの操作範囲７ａ〜７ｅに分割されている。第１のアイコン６ａの左隣りの位置にある操作範囲７ａは第１のアイコン６ａ（車両ドアのロックを指示する制御信号）を選択する操作範囲に設定されている。第２のアイコン６ｂの左隣りの位置にある操作範囲７ｂは第２のアイコン６ｂ（車両ドアのアンロックを指示する制御信号）を選択する操作範囲に設定されている。第３のアイコン６ｃの左隣りの位置にある操作範囲７ｃは第３のアイコン６ｃ（左側パワースライドドアの開錠を指示する制御信号）を選択する操作範囲に設定されている。第４のアイコン６ｄの左隣りの位置にある操作範囲７ｄは第４のアイコン６ｄ（右側パワースライドドアの開錠を指示する制御信号）を選択する操作範囲に設定されている。第５のアイコン６ｅの左隣りの位置にある操作範囲７ｅは第５のアイコン６ｅ（トランクの開錠を指示する制御信号）を選択する操作範囲に設定されている。これら５つの操作範囲７ａ〜７ｅが、アイコン６ａ〜６ｅの配列方向と同じ方向に一列に繋がるように配置されている。
【００２１】
同様に、右側の操作部８は、５つのアイコン６ａ〜６ｅに対向するように５つの操作範囲８ａ〜８ｅに分割されている。第１のアイコン６ａの右隣りの位置にある操作範囲８ａは第１のアイコン６ａを選択する操作範囲に設定されている。第２のアイコン６ｂの右隣りの位置にある操作範囲８ｂは第２のアイコン６ｂを選択する操作範囲に設定されている。第３のアイコン６ｃの右隣りの位置にある操作範囲８ｃは第３のアイコン６ｃを選択する操作範囲に設定されている。第４のアイコン６ｄの右隣りの位置にある操作範囲８ｄは第４のアイコン６ｄを選択する操作範囲に設定されている。第５のアイコン６ｅの右隣りの位置にある操作範囲８ｅは第５のアイコン６ｅを選択する操作範囲に設定されている。これら５つの操作範囲８ａ〜８ｅが、アイコン６ａ〜６ｅの配列方向と同じ方向に一列に繋がるように配置されている。
【００２２】
このように、各操作部７、８は、操作部７、８間で同一種類の制御信号（アイコン６ａ〜６ｅ）を選択する操作範囲を有する。言い換えると、アイコン表示部５を基準として左右対称となるように、同一種類の制御信号を選択する操作範囲７ａ〜７ｅ、８ａ〜８ｅが配置されている。さらに言い換えると、左側の操作部７に属する操作範囲７ａ〜７ｅは、携帯機正面の左側の箇所において隣り合うように配置（一列に並ぶように配置）された１つの組を構成する。他方、右側の操作部８に属する操作範囲８ａ〜８ｅは、携帯機正面の右側の箇所において隣り合うように配置（一列に並ぶように配置）された、操作範囲７ａ〜７ｅとは別の１つの組を構成する。なお、図４では、操作範囲７ａ〜７ｅ間の境界及び操作範囲８ａ〜８ｅ間の境界を点線で図示しているが、実際は境界は表示されていない。
【００２３】
各操作部７、８は、アイコン表示部５と同一平面上に配置された平面状としても良いし、アイコン表示部５に対して各操作部７、８が若干盛り上がる形状（凸形状）、又はすり鉢（凹）形状等、ユーザーが操作しやすい形状であれば良い。
【００２４】
また、操作部７、８は点灯可能に構成、つまり光を透過するように構成される。操作部７、８の周囲（アイコン表示部５を除く部分）は光を遮断する遮光部とされている。また、操作部７、８の背面側が視認されないように、操作部７、８は例えばスモーク調など半透明に構成される。
【００２５】
携帯機１の正面の左右幅方向（短手方向）の中央下部、つまりアイコン表示部５の下には第二入力部の操作部９が配置されている。操作部９は、ユーザーにより押下操作（プッシュ操作）が行われる部分であり、操作部９の背面側に配置された機械的な断続接点を持つ内部スイッチ１６（図５参照）をオンオフするためのノブである。操作部９は押下方向に変位可能に設けられる。操作部９（第二入力部）は、操作部７、８（第一入力部）により選択された制御信号の出力を指示する入力部である。
【００２６】
操作部７、８及びアイコン表示部５が配置された携帯機１の面を正面、その正面と反対側の面を背面としたとき、携帯機１の背面（ハウジング２の背面）には、図２に示すように、第三入力部の操作部１０が配置されている。その操作部１０は、第一入力部の操作部７、８と同様に機械的な断続接点を持たない静電容量スイッチにより構成されている。つまり、操作部１０は、静電容量スイッチの一部を構成する。操作部１０（第三入力部）は、操作部７、８（第一入力部）を、ユーザーからのアクションに対し動作（反応）しない待機状態から、動作する起動状態への遷移を指示する入力部である。操作部１０は、ハウジング２（下カバー）の背面の一部を加飾印刷することで構成されたとしても良いし、ハウジング２とは別部材で構成されたとしても良い。
【００２７】
ハウジング２内には、上記したアクリルカバー４（操作部７、８、アイコン表示部５）、操作部９、１０の他に各種部品が収容されている。ここで、図５は、ハウジング２内に収容された各種部品を説明する図であり、携帯機１の電気的構成を示したブロック図である。図５に示すように、ハウジング２内には、制御部１１、入力制御部１２、センサ電極１３、１４、１５、内部スイッチ１６、アイコン表示用ＬＥＤ１７、左側の第一入力部（操作部７）表示用ＬＥＤ１８、右側の第一入力部（操作部８）表示用ＬＥＤ１９、及び送受信部２０が収容されている。
【００２８】
センサ電極１３、１４、１５は、静電容量スイッチを構成する各操作部７、８、１０の対向位置に配置されて、各操作部７、８、１０に対するユーザーのアクション（タッチ操作）を検知する、静電容量スイッチのセンサ電極である。センサ電極１３、１４、１５は導電性を有する金属（例えば銅箔）や、ＰＥＤＯＴのような導電性を持つ有機材料により形成される。
【００２９】
センサ電極１３は、左側の操作部７の対向位置において操作部７の長手方向と同じ方向に伸びるように形成されている。詳しくは、センサ電極１３は、操作部７の全操作範囲７ａ〜７ｅ（図４参照）をカバーするように設けられ、より詳しくは、操作部７の長手方向と同じ方向に沿って配列された、互いに分離された複数の電極から構成される。操作部７が操作された場合には、その操作位置に近い位置にある電極ほど、大きい静電容量変化を示す信号が出力される。これによって、操作部７の操作範囲７ａ〜７ｅのうちどの操作範囲が操作されたのかを判別可能となっている。なお、操作部７及びセンサ電極１３が第一入力部である。
【００３０】
同様に、センサ電極１４は、右側の操作部８の対向位置において操作部８の長手方向と同じ方向に伸びるように形成されている。詳しくは、センサ電極１４は、操作部８の全操作範囲８ａ〜８ｅ（図４参照）をカバーするように設けられ、より詳しくは、操作部８の長手方向と同じ方向に沿って配列された、互いに分離された複数の電極から構成される。操作部８が操作された場合には、その操作位置に近い位置にある電極ほど、大きい静電容量変化を示す信号が出力される。これによって、操作部８の操作範囲８ａ〜８ｅのうちどの操作範囲が操作されたのかを判別可能となっている。なお、操作部８及びセンサ電極１４が第一入力部である。
【００３１】
センサ電極１５は、背面に配置された操作部１０（図２参照）の対向位置に形成されている。操作部１０が操作された場合には、センサ電極１５から静電容量変化を示す信号が出力される。これによって、操作部８が操作されたことを判別可能となっている。なお、操作部１０及びセンサ電極１５が第三入力部である。
【００３２】
入力制御部１２は、各センサ電極１３、１４、１５と電気的に接続して、各センサ電極１３、１４、１５への電圧供給を制御したり、各センサ電極１３、１４、１５とユーザーの指との間で発生する静電容量変化を検知したりする回路である。入力部制御部１２によって、センサ電極１３、１４、１５に電圧が加えられた状態になると、センサ電極１３、１４、１５は、操作部７、８、１０に対するユーザーのアクションを検知可能な状態、つまりユーザーからのアクションに対し動作（反応）する起動状態となる。これに対し、入力制御部１２によって、センサ電極１３、１４、１５への電圧供給が遮断された場合には、センサ電極１３、１４、１５は、操作部７、８、１０に対するユーザーのアクションを検知しない状態、つまりユーザーからのアクションに対し動作（反応）しない待機状態となる。
【００３３】
入力制御部１２は、センサ電極１３、１４、１５ごとに電圧の供給、遮断を個別制御する。なお、入力制御部１２は、センサ電極１３、１４、１５ごとに別々に設けられたとしても良いし、センサ電極１３、１４、１５間で共通（単一）の入力制御部としても良い。
【００３４】
なお、センサ電極１３、１４、１５及び入力制御部１２による操作部７、８、１０に対するアクションの検知方式は、機械的な断続接点を有しないスイッチであるのであれば、静電容量方式に限られず、例えば、超音波表面弾性波方式、音響パルス認識方式、赤外線遮光方式などを原理としたスイッチを採用しても良い。なお、タッチ操作の各種の検知方式（機械的な断続接点を有しないスイッチ）は、例えば、ＵＲＬ：http://www.technoveins.co.jp/technical/explain/touchpanel.htmに記載されている。
【００３５】
また、入力制御部１２は、センサ電極１３〜１５の他に、内部スイッチ１６、各ＬＥＤ１７〜１９と接続して、内部スイッチ１６のオンオフを監視したり、各ＬＥＤ１７〜１９の点灯制御を行ったりする。このように、入力制御部１２は、操作部７、８のＬＥＤ１８、１９の点灯制御を行うが、このことは、図１１に示すように、入力制御部１２内にＬＥＤ１８、１９の点灯制御を行う入力部表示制御部１２１が設けられていることを意味する。
【００３６】
内部スイッチ１６は、操作部９（図１参照）に対するユーザーのアクション（押下操作）を検知するスイッチである。その内部スイッチ１６は、機械的な断続接点を持つスイッチであり、具体的には例えばメタルドーム、タクトスイッチ、メンブレンスイッチ、接点付ラバースイッチ等である。内部スイッチ１６は、操作部９が操作された際に操作部９が押下方向に変位することで、オンとなる（オン信号を出力する）。なお、操作部９及び内部スイッチ１６が第二入力部である。この第二入力部９、１６は、制御部１１に対し制御信号の出力を指示するための入力部（本発明の第二入力部）として機能する。
【００３７】
アイコン表示用ＬＥＤ１７は、アイコン６に光を供給するＬＥＤ（発光ダイオード）である。アイコン表示用ＬＥＤ１７は、各アイコン６の対向位置に、アイコン６ごとに個別に設けられている。なお、ＬＥＤ１７をアイコン６の対向位置からずれた位置に配置して、そのＬＥＤ１７からの光を導光部（ライトガイド）でアイコン６まで導いても良い。この場合には、アイコン６の対向位置には導光部が配置される。ＬＥＤ１７からの光がアイコン６の背面に入射して、入射した光がアイコン６の表面から出射することで、アイコン６が点灯（表示）される。
【００３８】
左側の第一入力部（操作部７）表示用ＬＥＤ１８は、操作部７の背面に光を供給するＬＥＤである。詳しくは、操作部７の対向位置には、操作部７の全範囲をカバーするように導光部が設けられている。ＬＥＤ１８はその導光部の側面位置に配置されて、導光部の側面に光を入射する。ＬＥＤ１８の光は導光部を介して操作部７の背面に入射し、入射した光が操作部７の表面から出射することで、操作部７は点灯（表示）される。
【００３９】
右側の第一入力部（操作部８）表示用ＬＥＤ１９は、操作部８の背面に光を供給するＬＥＤである。詳しくは、操作部８の対向位置には、操作部８の全範囲をカバーするように導光部が設けられている。ＬＥＤ１９はその導光部の側面位置に配置されて、導光部の側面に光を入射する。ＬＥＤ１９の光は導光部を介して操作部８の背面に入射し、入射した光が操作部８の表面から出射することで、操作部８は点灯（表示）される。
【００４０】
送受信部２０は、送信アンテナを含み、制御部１１から出力される制御信号、つまり、車両の各種制御（ドアの施開錠等）を指示する信号の電波を送信アンテナから送信する部分である。なお、携帯機１が、車両との間の双方向通信に基づき車両制御を行う電子キーシステム（いわゆるスマートエントリーシステム）に対応したものである場合には、送受信部２０は、受信アンテナを含んで、その受信アンテナにより車両から送信される電波を受信する。
【００４１】
制御部１１は、ＣＰＵ、ＲＯＭ、ＲＡＭ等から構成され、携帯機１の全体制御を司る部分である。制御部１１は、入力制御部１２と接続して、入力制御部１２から、操作部７、８（第一入力部）、操作部９（第二入力部）、操作部１０（第三入力部）に対するアクションの有無や操作部７、８の操作位置の信号を取得する。そして、制御部１１は、操作部７、８の操作内容に基づいて、予め定められた複数種類の制御信号のうち一つを選択し、その選択した制御信号を送受信部２０に出力し、送受信部２０に制御信号の電波を送信させる。制御部１１が出力する制御信号は、アイコン６ａ〜６ｅの内容と対応しており、具体的には車両ドアのロックを指示する制御信号、アンロックを指示する制御信号、左側パワースライドドアの開錠を指示する制御信号、右側パワースライドドアの開錠を指示する制御信号、トランクの開錠を指示する制御信号である。
【００４２】
また、携帯機１がスマートエントリーシステムに対応している場合には、制御部１１は、スマートエントリーシステムに関する処理も実行する。すなわち、制御部１１は、受信部が車両からのリクエスト信号を受信した場合には、そのリクエスト信号に応答するレスポンス信号を生成して、それを送受信部２０に出力して送信させる。
【００４３】
図５に示す各部品は基板に実装されている。このとき、制御部１１とそれ以外の部品（入力部に関連する部品など）とを別々の基板に実装しても良いし、同じ基板に実装しても良い。基板の基材は、ＦＰＣやＰＥＴフィルム等の柔軟性を持つものでも良いし、リジッド基板のように剛性を持つものでも良い。
【００４４】
ハウジング２内には、図５に示す部品以外の部品も収容されており、例えば、基板に実装された各電気部品（制御部１１など）に電力を供給する電源部と、基板を液体から保護する防水カバーと、緊急時（電池が無くなった、電波を発信できなくなった等）に機械的に車両のドアロックを解除できるメカキーと、メカキーを保持する機構とが収容されている。
【００４５】
次に、携帯機１の作用を説明する。入力制御部１２は、操作部１０（第三入力部）に対するユーザーのアクションがあるまでは、センサ電極１３、１４への電圧供給を停止して、操作部７、８（第一入力部）を待機状態にする。また、入力制御部１２は、操作部７、８が待機状態の時には、アイコン表示部５及び操作部７、８を消灯する（図１の状態）。なお、入力制御部１２は、第三入力部のセンサ電極１５に対しては常時電圧供給を行い、第三入力部１０、１５を常時起動状態にしておく。
【００４６】
ユーザーが操作部１０に対してアクションした場合には（図６参照）、入力制御部１２は、まずセンサ電極１３、１４への電圧供給を開始して、両方の操作部７、８を起動状態にする。次に、アイコン表示用ＬＥＤ１７を点灯させて、アイコン表示部５に全てのアイコン６ａ〜６ｅを表示（点灯）させる（図４の状態）。最後に、ＬＥＤ１８、１９を点灯させて、両方の操作部７、８を表示（点灯）させる（図４の状態）。これによって、ユーザーに、操作部７、８が起動状態になったことを容易に把握させることができるとともに、操作部７、８の位置も把握させることができる。また、全てのアイコン６ａ〜６ｅが表示されることで、ユーザーに、どの種類の制御信号が選択可能であるかを把握させることができる。なお、入力制御部１２は、操作部７、８を起動状態にした後、ユーザーが操作部７、８に触れてから、触れた方の操作部のみを表示するようにしても良い。
【００４７】
ユーザーは、操作部７、８が起動状態に遷移したのを確認した後、操作部７、８のうち好きな方をタッチ操作することで、アイコン６ａ〜６ｅで示される複数種類の制御信号（車両の制御内容）のうちいずれか一つを選択することができる。このとき、アイコン６ａ〜６ｅごとに分割された操作部７の操作範囲７ａ〜７ｅは互いに繋がっており、同様に操作部８の操作範囲８ａ〜８ｅも互いに繋がっているので、ユーザーは指を操作部７（操作範囲７ａ〜７ｅ）又は操作部８（操作範囲８ａ〜８ｅ）上でスライドさせ、アイコン表示部５に表示（点灯）されたアイコン６を確認しながら、所望のアイコン６を選択できる。ユーザーは、指を操作部７、８上でスライドさせないで、所望のアイコン６が選択される操作範囲をピンポイントでタッチ操作することもできる。なお、指を操作部７、８上でスライドさせている最中は、選択されるアイコン６が連続的に切り替わることになるが、このときにはアイコン６（制御信号）の選択は確定していない。スライドさせた指を操作部７、８から離した位置に対応するアイコン６（制御信号）が最終的に選択されることになる。
【００４８】
入力部制御部１２は、操作部７、８を起動状態に遷移してからの経過時間を計測し、その経過時間が一定時間（例えば数秒〜十数秒）になるまでに操作部７、８に対するユーザーからのアクションが無い場合には、消費電力を抑えるために、操作部７、８を再び待機状態に遷移させる。続けて、操作部７、８が待機状態に戻るのに連動して、ＬＥＤ１７〜１９を消灯させる。これによって、アイコン６及び操作部７、８の表示が消えるので、ユーザーに操作部７、８が待機状態に戻ったのを容易に把握させることができる。
【００４９】
一方、入力制御部１２は、操作部７、８を起動状態に遷移してから一定時間以内に操作部７、８に対するアクションがあった場合には、操作部７、８のうちのアクションがあった方のみを有効（起動状態）にする。つまり、操作部７、８のうちアクションが無かった方は待機状態に遷移させ、操作部７、８のうちユーザーが触れた方の操作部のみを表示する。例えば、図７に示すように、右側の操作部８に対するアクションがあった場合には、右側の操作部８を有効（起動状態）にし、かつ表示する一方で、左側の操作部７は無効（待機状態）にし、かつ非表示にする。また、図９に示すように、左側の操作部７に対するアクションがあった場合には、左側の操作部７を有効（起動状態）にし、かつ表示する一方で、右側の操作部８は無効（待機状態）にし、かつ非表示にする。これによって、消費電力を抑えることができるとともに、ユーザーの指が誤って操作が行われていない方の操作部に触れてしまったとしても、ユーザーの意図しない制御信号の選択や出力が行われてしまうのを防ぐことができる。
【００５０】
なお、両方の操作部７、８を待機状態から起動状態に遷移させた後（図４の状態）、操作部７、８のうちアクションされた方だけでなく、アクションされなかった方も起動状態を維持しても良い。この場合、操作部７、８のうちアクションされなかった方は非表示にする。これによって、操作部７、８のうちユーザーが意図しない操作部を間違えてアクションしてしまったとしても、反対側の操作部は非表示ではあるが起動状態になっているので、その反対側の操作部にアクションしなおすことができる。また、反対側の操作部にアクションしなおした場合には、その操作部を表示状態とし、最初にアクションした操作部は非表示とする。
【００５１】
また、入力制御部１２は、操作部７、８のうち一方へのアクションが継続する限り、そのアクションが行われている操作部を起動状態に維持する。そして、入力制御部１２は、アクションが行われている操作部のセンサ電極（センサ電極１３又はセンサ電極１４）を構成する複数の電極のうちどの電極から静電容量変化信号が出力されたかに基づいて、操作部７の操作範囲７ａ〜７ｅ又は操作部８の操作範囲８ａ〜８ｅのうちどの操作範囲が操作されたのかを判定、つまり複数種類の制御信号（アイコン６）のうちどの制御信号が選択されたのかを判定し、その判定結果（制御信号の選択結果、操作部７、８の操作結果）を保管する。なお、入力制御部１２は、制御信号の選択結果を制御部１１に直ちに通知（操作部９へのアクション前に通知）し、制御部１１が制御信号の選択結果を保管しても良い。
【００５２】
入力制御部１２は、アイコン６毎に設けられたＬＥＤ１７のうち、操作部７又は操作部８への操作範囲に応じたＬＥＤ１７のみ点灯させ、表示したアイコン６の制御信号を、出力する制御信号として選択する。図７、図９の例では、ドアのアンロックのアイコン６ｂのみを点灯（表示）させ、そのアイコン６ｂの制御信号、すなわちアンロックを指示する制御信号を選択している。これによって、ユーザーに、現在どのアイコン６が選択されているのかを容易に把握させることができる。また、入力制御部１２は、操作部７、８に対するユーザーのアクションが終了した後（指が操作部７、８から離れた後）は、選択されたアイコン６のＬＥＤ１７のみ点灯を維持する。これによって、ユーザーに、制御信号の選択操作を終了した後も、どの制御信号が選択されているのかを容易に把握させることができる。
【００５３】
ユーザーは、操作部７、８へのアクションによって１つの制御信号を選択してから一定時間以内に操作部９（第二入力部）を操作することで、選択した制御信号の電波を携帯機１から送信させることができる。すなわち、入力制御部１２は、操作部７、８に対するアクションが終了してから一定時間（例えば数秒から数十秒）以内に操作部９に対するアクションがあった場合には、保管していた制御信号の選択結果（どの操作範囲が操作されたかの判定結果）を制御部１１に通知する。制御部１１は、入力制御部１２から通知された選択結果で示される制御信号を、出力する制御信号として選択する。そして、制御部１１は、選択した制御信号を送受信部２０に出力して、送受信部２０にその制御信号の電波を送信させる。このことは、第二入力部９、１６は、操作部７、８（第一入力部）に対するアクションが終了してから一定時間以内に第二入力部９、１６に対するアクションがあった場合には、選択された制御信号の出力を制御部１１に対し指示することを意味する。
【００５４】
なお、制御信号の選択結果（操作部７、８の操作結果）を制御部１１が保管する場合には、制御部１１は、操作部７、８に対するアクションが終了してから一定時間（例えば数秒から数十秒）以内に第二入力部９、１６に対するアクションがあった場合には、保管していた制御信号の選択結果で示される制御信号を送受信部２０に出力して、送受信部２０にその制御信号の電波を送信させる。
【００５５】
例えば、ユーザーは、図４の状態から右側の操作部８に触れた場合には、操作部８が有効になって、操作部８により、出力する制御信号（アイコン）を選択できる（図７の状態）。その後、ユーザーは、操作部９を操作することで、選択したアイコン（制御信号）の電波を送信させることができる（図８の状態）。
【００５６】
また、例えば、ユーザーは、図４の状態から左側の操作部７に触れた場合には、操作部７が有効になって、操作部７により、出力する制御信号（アイコン）を選択できる（図９の状態）。その後、ユーザーは、操作部９を操作することで、選択したアイコン（制御信号）の電波を送信させることができる（図１０の状態）。
【００５７】
入力制御部１２は、制御部１１が制御信号を出力した後、すなわち、送受信部２０が電波を送信した後、起動状態に維持していた操作部７又は操作部８を待機状態へと遷移させる。つまり、両方の操作部７、８を待機状態にする。その待機状態への遷移に伴い、入力制御部１２は、ＬＥＤ１７〜１９を消灯して、アイコン表示部５及び操作部７、８の表示を消す（図１の状態に戻す）。
【００５８】
また、入力制御部１２は、操作部７又は操作部８に対するユーザーのアクションが終了してから一定時間以内に操作部９に対するユーザーのアクションが無い場合には、消費電力を抑えるために操作部７、８を待機状態に遷移させる。この遷移に伴い、選択されていたアイコン６のＬＥＤ１７及び表示していた操作部のＬＥＤ（操作部７を表示していた場合にはＬＥＤ１８、操作部８を表示していた場合にはＬＥＤ１９）を消灯する。これによって、ユーザーに、制御信号の選択状態が解除されたことを容易に把握させることができる。さらに、入力制御部１２は、操作部７又は操作部８に対するユーザーのアクションが終了してから一定時間以内に操作部９に対するユーザーのアクションが無い場合には、保管していた制御信号の選択結果を破棄する。なお、制御信号の選択結果（操作部７、８の操作結果）を制御部１１が保管する場合、制御部１１は、操作部７、８に対するユーザーのアクションが終了してから一定時間以内に第二入力部９、１６に対するユーザーのアクションが無い場合には、保管していた制御信号の選択結果を破棄する。制御部１１は、制御信号の選択状態を解除した後に、操作部９に対するアクションがあったとしても、制御信号の出力は行わない。
【００５９】
次に、本実施形態の効果を説明する。本実施形態によれば、制御信号を選択する操作部７、８（第一入力部）を機械的な断続接点を持たない静電容量スイッチにより構成したので、機械的な破壊を防ぐための部品点数を抑えつつ、操作部７、８へのアクションに対する機械的な破壊が発生するのを抑制できる。
【００６０】
また、操作部７、８は、操作部１０（第三入力部）へのアクションがあるまでは待機状態となるので、消費電力を抑制できるとともに、制御信号の誤選択を抑制できる。さらに、制御部１１は、操作部７、８により制御信号を選択した後、操作部９（第二入力部）へのアクションを条件として選択した制御信号を出力するので、ユーザーが所望しない電波（制御信号）の誤送信を抑制できる。
【００６１】
また、第一、第二、第三入力部が別々に設けられているので、ユーザーの意図しない携帯機の動作をより一層抑制できる。特に、第三入力部（操作部１０）を筐体背面に配置することで、もしユーザーが意図せず筐体背面に触れてしまっても、第一入力部（操作部７、８）は異なる場所（筐体正面）に配置されているため、同時に動作する可能性は低い。よって、制御信号の誤発信を防止することが可能となる。さらに第一入力部と第三入力部に対し同時にアクションしないと第一入力部が起動状態にならないようにしておけば、さらなる誤発信の防止へと繋げることが可能となる。
【００６２】
また、操作部７、８は、制御信号ごと（アイコン６ごと）に分けられた操作範囲が連続的に繋がっているので、ユーザーは、指を上げなくても、操作部７、８上でスライドさせることで、所望の制御信号を容易に選択できる。
【００６３】
また、アイコン表示部５と操作部７、８とが互いに隣接した位置に配置されているので、操作部７、８の操作中にどのアイコン６（制御信号）が選択されたのかを把握しやすくできる。
【００６４】
また、アイコン表示部５を間に挟んで左右それぞれの箇所に第一入力部の操作部７、８が配置されるので、同一デザインでも右利きと左利きのユーザーの両者が快適に使用できる共通デザインの携帯機を提供できる。すなわち、右利きのユーザーは、右手の指で携帯機を操作することが多いので、図７のように右手の指で右側の操作部８を操作することで、指でアイコン表示部５が隠れてしまうのを防ぐことができる。他方、左利きのユーザーは、左手の指で携帯機を操作することが多いので、図９のように左手の指で左側の操作部７を操作することで、指でアイコン表示部５が隠れてしまうのを防ぐことができる。このように、同一種類の制御信号を選択する操作範囲が２箇所配置されているので、ユーザーは、２箇所に配置された操作範囲のうち好きな方を選んで、制御信号の選択操作を行うことができる。よって、ユーザーの手の大きさや利き腕に左右されず、制御信号の選択操作をしやすくできる。
【００６５】
なお、本発明は上記実施形態に限定されるものではなく、本発明の趣旨に基づいて種々なる形態で実施することができる。以下、本発明の変形例を説明する。
【００６６】
（変形例１）
上記実施形態では、第一、第二、第三入力部を別々に設けた例を説明したが、第二、第三入力部を一つの入力部で兼用しても良い。例えば、図２に示す第三入力部１０、１５を無くして、第三入力部の機能を第二入力部９、１６で兼用しても良い。この場合の携帯機の作用を説明すると、入力制御部１２は、操作部９に対するアクションがあるまでは操作部７、８を待機状態とし、操作部９に対するアクションがあった場合に操作部７、８を起動状態に遷移させる。その後の作用は上記実施形態と同じである。このように、第二入力部と第三入力部とを一つの入力部で兼用することで、携帯機の構成を簡素にできる。
【００６７】
（変形例２）
上記実施形態の第二入力部９、１６及び第三入力部１０、１５を無くして、制御信号を選択するための入力部（第一入力部）と、制御信号の出力を指示するための入力部（第二入力部）と、第一入力部を起動させるための入力部（第三入力部）とを、上記実施形態の第一入力部７、８、１３、１４で兼用しても良い。
【００６８】
この変形例２に係る携帯機の作用を説明すると、入力制御部１２は、センサ電極１３、１４には常時電力を供給し、操作部７、８に対するアクションを常時検出可能な状態にしておく。ただし、入力制御部１２は、操作部７、８に対するユーザーからのアクションがあるまでは、アイコン６を消灯しておき、この消灯した状態で操作部７、８に対するアクションがあったとしても、制御信号を選択できないようにする。つまり、アイコン６が消灯した状態では、操作部７、８（第一入力部）は制御信号を選択するための入力部としては待機状態となる。また、入力制御部１２は、アイコン６が消灯した状態では、操作部７、８を非表示にする。
【００６９】
アイコン６が消灯した状態で操作部７又は操作部８に対するユーザーからのアクションがあった場合には、入力制御部１２は、全てのアイコン６のＬＥＤ１７を点灯させて、全てのアイコン６を表示させる。加えて、両方の操作部７、８を表示状態にする（図４の状態）。これによって、操作部７、８による制御信号の選択操作が可能な状態（起動状態）に遷移したことを、ユーザーに把握させることができる。
【００７０】
その後、制御部１１は、上記実施形態と同様に、操作部７又は操作部８に対するユーザーのアクションに基づいて、複数の制御信号のうち、出力する１つの制御信号を選択する。制御部１１は、制御信号を選択した後、操作部７又は操作部８に対するユーザーからのアクションに基づいて、選択した制御信号を送受信部２０に出力して、その制御信号の電波を送受信部２０に送信させる。制御信号の出力を指示する操作部７、８に対するアクションはどのようなアクションであっても良いが、例えば、ユーザーが制御信号を選択するために操作部７、８に指をタッチ操作した後、その指を操作部７、８から離すアクションや、操作部７、８に対するダブルタップ（連続的に２回タッチする操作）、操作部７、８への長押し（一定時間以上のタッチ操作）を、制御信号の出力を指示する操作部７、８に対するアクションとしても良い。
【００７１】
このように、変形例２では、第二入力部９、１６及び第三入力部１０、１５及びこれに関連する構成を省略できるので、携帯機の構成をより一層簡素にできる。また、制御信号を選択するための入力部（第一入力部）だけでなく、制御信号の出力を指示するための入力部（第二入力部）と、第一入力部を起動させるための入力部（第三入力部）も機械的な断続接点を持たないスイッチで構成することになるので、携帯機に対する機械的な破壊をより一層抑制できる。
【００７２】
（変形例３）
制御信号を選択するための入力部（第一入力部）と、制御信号の出力を指示するための入力部（第二入力部）とを同一の入力部で兼用し、その兼用する入力部とは別に、第一入力部を起動させるための入力部（第三入力部）を設けても良い。この場合、例えば、上記実施形態の第二入力部９、１６を無くして、第二入力部の機能を上記実施形態の第一入力部７、８、１３、１４で兼用する。
【００７３】
変形例３の携帯機の作用を説明すると、入力制御部１２は、第三入力部１０、１５に対するアクションがあるまでは、第一入力部７、８、１３、１４を待機状態とし、そのアクションがあった時に第一入力部７、８、１３、１４を起動状態に遷移させる。その後、制御部１１は、上記実施形態と同様に、操作部７又は操作部８に対するユーザーのアクションに基づいて、複数の制御信号のうち、出力する１つの制御信号を選択する。その後、制御部１１は、変形例２と同様に、操作部７、８に対するアクション（指が操作部７、８から離れたことや、操作部７、８への長押し、ダブルタップなど）に基づいて、選択した制御信号を出力する。
【００７４】
このように、変形例３では、制御信号を選択するための入力部と、制御信号の出力を指示するための入力部とを同一の第一入力部７、８、１３、１４で兼用しているので、それら入力部を別々に設けた場合に比べて、携帯機の構成を簡素にできる。
【００７５】
（変形例４）
変形例１では、第一入力部７、８、１３、１４を起動状態に遷移させるための第三入力部を、制御信号の出力を指示するための第二入力部９、１６で兼用した例を説明したが、第一入力部７、８、１３、１４が第三入力部を兼ねるようにしても良い。この場合、変形例２と同様に、第一入力部７、８、１３、１４に対するアクションに基づいて第一入力部７、８、１３、１４で制御信号を選択することができる状態（起動状態）に遷移させる。第一入力部７、８、１３、１４を用いて制御信号が選択された後、第二入力部９、１６に対するアクションに基づいて、選択された制御信号を出力する。
【００７６】
このように、変形例４では、第一入力部７、８、１３、１４が、第一入力部７、８、１３、１４を起動させるための第三入力部を兼ねているので、それら第一入力部、第三入力部を別々に設けた場合に比べて、携帯機の構成を簡素にできる。
【００７７】
（変形例５）
図１２に示すように、第二入力部の内部スイッチ１６、ＬＥＤ１７〜１９を制御部１１に接続して、制御部１１が内部スイッチ１６のオンオフの監視及びＬＥＤ１７〜１９の点灯制御を行っても良い。この場合、図１３に示すように、制御部１１内に、ＬＥＤ１８、１９の点灯制御を行う入力部表示制御部１１１が設けられることを意味する。
【００７８】
また、図１４に示すように、第一入力部（センサ電極１３、１４）、第三入力部（センサ電極１５）、第二入力部（内部スイッチ１６）、ＬＥＤ１７〜１９を制御部１１に接続して、制御部１１が、第一、第三入力部の状態（起動状態、待機状態）の制御、第一〜第三入力部に対するアクションの検知、及び各ＬＥＤ１７〜１９の点灯制御を行っても良い。この場合、制御部１１内に、ＬＥＤ１８、１９の点灯制御を行う入力部表示制御部１１１と、第一〜第三入力部の制御及びアクションの検知を行う入力制御部１１２とが設けられることを意味する。
【００７９】
（変形例６）
上記実施形態では、２箇所に配置された第一入力部（操作部７、８）が分離した例を説明したが、複数箇所に配置される操作範囲を接続して、複数箇所間で操作範囲が連続した第一入力部を構成しても良い。ここで、図１５は、複数箇所間で操作範囲が連続した第一入力部の構成例を説明する図であり、変形例６に係る携帯機２１の正面図を示している。なお、図１５において、上記実施形態と変更が無い部分には同一符号を付している。
【００８０】
携帯機２１は、図１の携帯機１と同様の略直方体状の外形を有する。携帯機２１の正面の短手方向の中央には、図１と同様のアイコン６ａ〜６ｅを表示するアイコン表示部５及び第二入力部の操作部９が配置されている。携帯機２１の正面の一部（アクリルカバーの一部）は、制御部が出力する制御信号（アイコン）を選択する第一入力部の操作範囲２２（操作部）に設定されている。その操作範囲２２は、アイコン表示部５より左側に配置された左側操作範囲２３と、アイコン表示部５より右側に配置された右側操作範囲２４とから構成される。左側操作範囲２３及び右側操作範囲２４がアイコン表示部５の上で繋がっている。なお、操作範囲２２のうち図１５の点線２５より左側が左側操作範囲２３を構成し、右側が右側操作範囲２４を構成する。
【００８１】
両側の操作範囲２３、２４は、それぞれ、制御信号（アイコン６ａ〜６ｅ）の種類毎に操作範囲が分かれている。詳しくは、左側操作範囲２３は各アイコン６ａ〜６ｅ（制御信号）を選択するための個別の操作範囲２３ａ〜２３ｅを含む。第１の操作範囲２３ａは、アイコン６ａの左隣りに配置されて、アイコン６ａを選択するための操作範囲に設定される。第２の操作範囲２３ｂは、アイコン６ｂの左隣りに配置されて、アイコン６ｂを選択するための操作範囲に設定される。第３の操作範囲２３ｃは、アイコン６ｃの左隣りに配置されて、アイコン６ｃを選択するための操作範囲に設定される。第４の操作範囲２３ｄは、アイコン６ｄの左隣りに配置されて、アイコン６ｄを選択するための操作範囲に設定される。第５の操作範囲２３ｅは、アイコン６ｅの左隣りに配置されて、アイコン６ｅを選択するための操作範囲に設定される。
【００８２】
同様に、右側操作範囲２４は各アイコン６ａ〜６ｅ（制御信号）を選択するための個別の操作範囲２４ａ〜２４ｅを含む。第１の操作範囲２４ａは、アイコン６ａの右隣りに配置されて、アイコン６ａを選択するための操作範囲に設定される。第２の操作範囲２４ｂは、アイコン６ｂの右隣りに配置されて、アイコン６ｂを選択するための操作範囲に設定される。第３の操作範囲２４ｃは、アイコン６ｃの右隣りに配置されて、アイコン６ｃを選択するための操作範囲に設定される。第４の操作範囲２４ｄは、アイコン６ｄの右隣りに配置されて、アイコン６ｄを選択するための操作範囲に設定される。第５の操作範囲２４ｅは、アイコン６ｅの右隣りに配置されて、アイコン６ｅを選択するための操作範囲に設定される。
【００８３】
このように、各操作範囲２３、２４は、操作範囲２３、２４間で同一種類の制御信号（アイコン６ａ〜６ｅ）を選択する操作範囲を有する。そして、左側操作範囲２３に属する個別の操作範囲２３ａ〜２３ｅは、携帯機正面の左側の箇所において隣り合うように配置（一列に並ぶように配置）された１つの組を構成する。他方、右側操作範囲２４に属する個別の操作範囲２４ａ〜２４ｅは、携帯機正面の右側の箇所において一列に隣り合うように配置（一列に並ぶように配置）された１つの組を構成する。
【００８４】
操作範囲２２は、左側操作範囲２３及び右側操作範囲２４毎に個別に表示、非表示を切り替え可能に構成されている。なお、図１５では、左側操作範囲２３及び右側操作範囲２４の両方が表示された状態を示している。また、操作範囲２２は、左側操作範囲２３及び右側操作範囲２４毎に個別に待機状態、起動状態を切り替え可能に構成されている。
【００８５】
携帯機２１の作用は、図１の携帯機１と同様である。すなわち、入力制御部は、操作部９に対するアクションがあるまでは操作範囲２２を待機状態とし、アクションが有ったことに基づいて操作範囲２２（左側操作範囲２３及び右側操作範囲２４）を起動状態に遷移させ、かつ、表示する。その後、入力制御部は、左側操作範囲２３及び右側操作範囲２４のうちアクションが行われた操作範囲のみを表示状態に維持する。また、入力制御部は、左側操作範囲２３及び右側操作範囲２４のうちアクションが行われた操作範囲を起動状態に維持する。なお、アクションが行われていない操作範囲は待機状態に遷移させても良いし、起動状態のままでも良い。その後、制御部１１は、操作部９が操作された時に、左側操作範囲２３又は右側操作範囲２４に対するアクションに基づいて選択された制御信号を出力する。
【００８６】
このように、複数箇所間で操作範囲が連続（図１５の例では携帯機正面の左側の箇所と右側の箇所間で操作範囲が連続）するように構成しても、上記実施形態と同様の作用効果が得られる。
【００８７】
（その他変形例）
上記実施形態では、第一入力部が、機械的な断続接点を持たないスイッチにより構成された例を示したが、機械的な接点を持つスイッチにより構成しても良い。設置場所についても、筐体の正面に第一入力部を配置しているが、側面や背面に設けても良い。例えば側面に第一入力部を配置する場合には、一方の第一入力部は筐体の左側面に配置し、他方の第一入力部は筐体の右側面に配置する。これによって、アイコン表示部を間に挟んだ２箇所に第一入力部が配置されることになるので、右利きと左利きのユーザーの両者が快適に使用できる共通デザインの携帯機を提供できる。また、一方の第一入力部を筐体の正面に配置し、他方の第一入力部を筐体の背面に配置しても良い。
【００８８】
また、第二入力部を、機械的な接点を持つスイッチにより構成した例を説明したが、機械的な断続接点を持たないスイッチにより構成しても良い。設置場所についても、筐体正面に第二入力部を配置した例を説明したが、側面や背面に設けても良い。
【００８９】
また、第三入力部を、静電容量スイッチにより構成した例を説明したが、その他の機械的な断続接点を持たないスイッチを用いても良い。例えば、携帯機に第三入力部としての振動検知センサを設けて、その振動検知センサが、ユーザーからのタップ等のアクションを検知したことに基づいて、第一入力部を起動状態に遷移させても良い。また、携帯機に第三入力部としてのジャイロセンサを設けて、ユーザーが携帯機をある一定の向きに振ることをジャイロセンサが検知したことに基づいて、第一入力部を起動状態に遷移させても良い。また、携帯機に加速度センサを設けて、ユーザーが携帯機をある一定速度以上で振ることを加速度センサが検知したことに基づいて、第一入力部を起動状態に遷移させても良い。また、携帯機が車両と無線にて通信可能範囲に入ったことを認識したことに基づいて、第一入力部を起動状態に遷移させても良い。第三入力部を、機械的な接点を持つスイッチ（タクトスイッチ等）により構成しても良い。設置場所についても、筐体背面に第三入力部を配置しているが、正面や側面に設けても良い。
【００９０】
また、上記実施形態では、第一入力部の操作範囲を携帯機上の２箇所に配置した例を説明したが、３箇所以上配置しても良い。制御信号を選択する入力部（操作範囲）を増やすことで、ユーザーの手の形状に対しより柔軟に対応可能となる。
【００９１】
また、上記実施形態では、第一入力部とアイコン表示部が別のエリアに配置した例を説明したが、それらを同一エリアに配置して、ユーザーがアイコンに直接アクションすることで、出力する制御信号の種類を選択しても良い。すなわち、上記実施形態の例では、アイコン表示部５を無くして、操作部７、８上にアイコンを表示するようにする。言い換えると、操作部７、８をアイコン表示部としても機能させる。この場合、操作部７、８の背面側には、各アイコンに光を供給する光供給部に加えて、各アイコンに対するアクションを検知する静電容量スイッチのセンサ電極が配置される。このように、第一入力部とアイコン表示部を同一エリアに配置することで、携帯機をより小型化できる。
【００９２】
また、上記実施形態では、直方体のような形状の筐体（ハウジング２）を備えた例を示したが、上記したような形状の筐体に限定されるものではない。
【００９３】
また、上記実施形態では、制御信号（アイコン）ごとに分けられた第一入力部の操作範囲が互いに繋がっている例を示したが、各操作範囲が間隔を空けて配置されたとしても良い。これによって、制御信号（アイコン）の誤選択を抑制できる。
【００９４】
また、第一入力部の操作部やアイコン表示部の表示を液晶ディスプレイ（透過型や反射型）、ＥＬディスプレイ等の画像表示手段で行っても良い。
【００９５】
なお、上記実施形態において、図５、図６の入力制御部１２及びＬＥＤ１７、又は図１２、図１３、図１４の制御部１１及びＬＥＤ１７が本発明のアイコン表示制御部に相当する。図１１、図１３、図１４の入力部表示制御部１２１、１１１及びＬＥＤ１８、１９が本発明の入力部表示制御部に相当する。
【符号の説明】
【００９６】
１、２１  車両用携帯機
２  ハウジング
７、８、２２  第一入力部の操作部
１１  制御部
１２、１１２  入力制御部
１３、１４  第一入力部のセンサ電極
【図１】
0006501198.tif 000002
【図２】
0006501198.tif 000003
【図３】
0006501198.tif 000004
【図４】
0006501198.tif 000005
【図５】
0006501198.tif 000006
【図６】
0006501198.tif 000007
【図７】
0006501198.tif 000008
【図８】
0006501198.tif 000009
【図９】
0006501198.tif 000010
【図１０】
0006501198.tif 000011
【図１１】
0006501198.tif 000012
【図１２】
0006501198.tif 000013
【図１３】
0006501198.tif 000014
【図１４】
0006501198.tif 000015
【図１５】
0006501198.tif 000016